(57)【特許請求の範囲】
【請求項１】
長さ方向に前胴周り域および後胴周り域と、それら胴周り域の間に位置する股下域とを有し、前記後胴周り域に幅方向外方へ延びる一対のウイングが形成され、前記ウイングの内面にフック部材が設けられ、前記前胴周り域の外面にループ部材が設けられ、前記前後胴周り域が前記フック部材と前記ループ部材とを介して取り外し可能に連結される開放型の使い捨ておむつにおいて、
前記ウイングが、前記幅方向へ弾性的に伸長可能であり、前記フック部材が、剛性なベースシートから２本以上のフックが起立するフック集合体から形成され、前記フック集合体の複数が、前記幅方向へ互いに間隔をあけてそれらフック集合体と前記ウイングとの間に介在する非伸長性のキャリヤシートに取り付けられ、前記フック集合体の直下に延びる前記キャリヤシートの部分が、前記ウイングに取り付けられ、前記長さ方向へ延びる切り裂き案内部が、前記幅方向へ隣り合う前記フック集合体の間に延びる前記キャリヤシートに形成され、
前記おむつでは、前記キャリヤシートが前記ウイングとともに前記幅方向へ引張られると、該キャリヤシートが切り裂き案内部で破断して該ウイングの前記弾性的な伸長が可能になることを特徴とする前記おむつ。
【請求項２】
前記フック集合体の複数が、前記長さ方向にも互いに間隔をあけて前記キャリヤシートに取り付けられている請求項１記載のおむつ。
【請求項３】
前記ウイングが、弾性的に伸長可能な不織布から形成され、前記不織布が前記ループ部材を兼ねている請求項１または請求項２に記載のおむつ。
【請求項４】
前記フック集合体を形成する前記ベースシートが、前記ウイングに対して２〜２００ｍｍ2の取り付け面積を有する請求項１ないし請求項３いずれかに記載のおむつ。
【請求項５】
前記フック集合体の複数が、前記幅方向において互いに１〜５ｍｍ離間している請求項１ないし請求項４いずれかに記載のおむつ。
【発明の詳細な説明】
【０００１】
【発明の属する技術分野】
この発明は、メカニカルファスナが使用された開放型の使い捨ておむつに関する。
【０００２】
【従来の技術】
メカニカルファスナを使用した開放型の使い捨ておむつは、よく知られている。例えば特許第２９７７５０１号公報（特許文献１）に開示された使い捨ておむつでは、後胴周り域のウイング部分からおむつの幅方向外方へ延びるファスナにＹ字型テープが使用されている。このテープの先端部内面には、フック部材とループ部材とからなるメカニカルファスナのうちのフック部材が取り付けられている。
【０００３】
【特許文献１】
特許第２９７７５０１号公報
【０００４】
【発明が解決しようとする課題】
特許文献１に開示のおむつでは、Ｙ字型テープの基端部分がウイング部分の内面と外面とに接合されている。このようなテープは、ウイング部分に対して強固に接合される反面、それが接合されている部位においてウイング部分を高剛性のものにする。したがって、ウイング部分が弾性的な伸長性を有するおむつでは、ファスナに使用されたテープによってその伸長性が損なわれる。また、このテープの先端部分は、フック部材が取り付けられていることによって特に高剛性になるから、このフック部材をループ部材と係合させたときには、おむつはその係合した部位の剛性が高くなり、そこではおむつの伸長性と柔軟性とが損なわれる。
【０００５】
本発明の目的は、フック部材によってウイングの弾性的な伸長性や柔軟性が損なわれることがない開放型の使い捨ておむつを提供することにある。
【０００６】
【課題を解決するための手段】
前記課題を解決するために、本発明が前提とするのは、長さ方向に前胴周り域および後胴周り域と、それら胴周り域の間に位置する股下域とを有し、前記後胴周り域に幅方向外方へ延びる一対のウイングが形成され、前記ウイングの内面にフック部材が設けられ、前記前胴周り域の外面にループ部材が設けられ、前記前後胴周り域が前記フック部材と前記ループ部材とを介して取り外し可能に連結される開放型の使い捨ておむつである。
【０００７】
かかる前提において、本発明が特徴とするところは、次のとおりである。前記ウイングが、前記幅方向へ弾性的に伸長可能であり、前記フック部材が、剛性なベースシートから２本以上のフックが起立するフック集合体から形成され、前記フック集合体の複数が、前記幅方向へ互いに間隔をあけてそれらフック集合体と前記ウイングとの間に介在する非伸長性のキャリヤシートに取り付けられ、前記フック集合体の直下に延びる前記キャリヤシートの部分が、前記ウイングに取り付けられ、前記長さ方向へ延びる切り裂き案内部が、前記幅方向へ隣り合う前記フック集合体の間に延びる前記キャリヤシートに形成されている。前記おむつでは、前記キャリヤシートが前記ウイングとともに前記幅方向へ引張られると、該キャリヤシートが切り裂き案内部で破断して該ウイングの前記弾性的な伸長が可能になる。
【０００８】
本発明には、次のような好ましい実施態様がある。
（１）前記フック集合体の複数が、前記長さ方向にも互いに間隔をあけて前記キャリヤシートに取り付けられている。
（２）前記ウイングが、弾性的に伸長可能な不織布から形成され、前記不織布が前記ループ部材を兼ねている。
（３）前記フック集合体を形成する前記ベースシートが、前記ウイングに対して２〜２００ｍｍ2の取り付け面積を有する。
（４）前記フック集合体の複数が、前記幅方向へ互いに１〜５ｍｍ離間している。
【０００９】
【発明の実施の形態】
本発明にかかる開放型の使い捨てのおむつの詳細を説明すると、以下のとおりである。なお、おむつの幅方向を双頭矢印Ａで示し、おむつの長さ方向を双頭矢印Ｂで示す。
【００１０】
図１に部分破断平面図で示された使い捨ておむつ１は、全体が砂時計型を有する開放型のもので、透液性表面シート２と、不透液性裏面シート３と、これら両シート間に介在する体液吸収性コア４とから構成されている。おむつ１には、表裏面シート２，３とコア４とによって中央域５が形成されている。中央域５では、コア４の周縁から延出する表裏面シート２，３が重なり合い、それらシート２，３がホットメルト接着剤（図示せず）を介して互いに接合されている。おむつ１は、長さ方向Ｂに前胴周り域６および後胴周り域７と、これら両域６，７間に位置する股下域８とを有する。前後胴周り域６，７のそれぞれには、おむつ１の中央域５から幅方向Ａへ延びる一対のフロントウイング１１と、一対のリアウイング１２（ウイング）とが形成されている。これら両ウイング１１，１２は、それらの基端部がホットメルト接着剤（図示せず）によって裏面シート３の外面に接合されている。また、これらウイング１１，１２のうちで、少なくともリアウイング１２は、幅方向Ａと長さ方向Ｂとのうちの少なくとも幅方向Ａへ弾性的な伸長性を有する。リアウイング１２の内面には、前後胴周り域６，７を連結するためのファスナ手段であるフック部材１６が設けられている。中央域５における前胴周り域６の裏面シート３の外面には、フック部材１６を剥離可能に係合させるループ部材１７が設けられている。
【００１１】
図２は、図１のＩＩ−ＩＩ線切断面を示す図である。リアウイング１２の内面に設けられたフック部材１６は、互いに分離独立した複数のフック集合体２１から形成されている。個々の集合体２１は、リアウイング１２と比べて剛性が高く、非伸長性であるベースシート２２と、ベースシート２２から起立する２本以上のフック２３とから形成されている。ベースシート２２は、接着剤２４等の接合手段によってリアウイング１２に取り付けられている。幅方向Ａにおいて隣り合うフック集合体２１どうしは、距離Ｌだけ離間している。かようなリアウイング１２は、その外端部２６を摘んで幅方向Ａへ引張ると、弾性的に伸長する。そのときに、フック部材１６は、隣り合うフック集合体２１どうしが更に離間して距離Ｌが大きくなった状態でループ部材１７に対して係合する。フック集合体２１の一つずつは、リアウイング１２の伸長性と柔軟性とを損なうことがないように、リアウイング１２に対する取り付け面積が２〜２００ｍｍ2の範囲内にあり、図２における距離Ｌが１〜５ｍｍの範囲にある。また、おむつ１の着用時における前後胴周り域６，７の連結が十分強固となるように、フック集合体２１が幅方向Ａにおいて少なくとも３個以上並べられていることが好ましい。複数の集合体２１が幅方向Ａに距離Ｌをあけて並ぶことによって、リアウイング１２はフック部材１６を有するにもかかわらず、図２に示す双頭矢印Ｃ方向であるおむつ着用者の胴周りの内外方向へ柔軟に湾曲する。また、リアウイング１２が幅方向Ａに伸長された状態でフック部材１６がループ部材１７に係合すると、隣り合うフック集合体２１どうしが大きく離間していることによって、リアウイング１２の柔軟性はますますフック部材１６の影響を受けにくくなる。
【００１２】
図３は、発明の実施態様の一例を示す図１と同様なおむつ１の部分図である。このおむつ１におけるフック部材１６のフック集合体２１は、平面形状が円形のベースシート２２を有し、そのベースシート２２に２本以上のフック２３が起立している。フック集合体２１の複数は、幅方向Ａにおいて互いに離間するとともに、長さ方向Ｂにおいても互いに離間している。これらのフック集合体２１は、リアウイング１２が幅方向Ａにも長さ方向Ｂにも弾性的な伸長性を有する場合に、それら両方向Ａ，Ｂへの伸長性と柔軟性とを損なうことがない。
【００１３】
図４，５もまた、この発明の実施態様の一例を示す図であり、図４は図１と同様なおむつ１の一部分を示し、図５は図４のＶ−Ｖ切断面を示している。なお、図５のＡは非伸長状態のリアウイング１２を示し、図５のＢは伸長状態のリアウイング１２を示している。図示例におけるおむつ１のリアウイング１２に設けられたフック部材１６では、個々のフック集合体２１を形成するベースシート２２が互いに幅方向Ａへ離間した状態でキャリヤシート３１に接着剤３２を介して接合されている。キャリヤシート３１は、個々のフック集合体２１の直下に延びる部分がそこに塗布された接着剤２４を介してリアウイング１２に接合されている。キャリヤシート３１は、非伸長性のもので、隣り合うフック集合体２１とフック集合体２１との間ではリアウイング１２に接合されていない。幅方向Ａへ隣り合うフック集合体２１の間に延びるキャリヤシート３１には、長さ方向Ｂへ延びる切り裂き案内部３３が形成されている。切り裂き案内部３３は、例えばキャリヤシート３１に設けられたミシン目である。リアウイング１２が幅方向Ａへ引張られると、キャリヤシート３１が切り裂き案内部３３において容易に破断し、リアウイング１２が図５のＢの状態となる。図５のＡのフック部材１６を使用するおむつでは、図１〜３のフック部材１６と同様な作用、効果が得られる他に、個々のフック集合体２１が予めキャリヤシート３１に接合され、次いでそのキャリヤシート３１がリアウイング１２に接合されるという順序でのおむつ１の製造が可能になる。このような順序であれば、比較的微細なフック集合体２１でも、それをリアウイング１２に接合することが容易になる。
【００１４】
図示例のおむつ１では、表面シート２や裏面シート３、コア４等の各部材に対して周知慣用の材料を使用することができる。また、裏面シート３は、その最外層が不織布、より好ましくは嵩の高い不織布で形成されていると、フック部材１６のフック２３の係合、離脱が可能となるので図１におけるループ部材１７を省くことができる。また、フロントウイング１１がそのような不織布で形成される場合には、そのフロントウイング１１に対してのフック２３の係合、離脱が可能になる。リアウイング１２には、弾性繊維を含む不織布やプラスチックエラストマーからなるフィルム等を使用することができる。キャリヤシート３１は、その破断を容易にするために、分子鎖や繊維が長さ方向Ｂに配向しているプラスチックフィルムや布地、紙等の材料で作ることができ、これら材料による場合には切り裂き案内部３３を省くことも可能になる。
【００１５】
本発明は、開放型の使い捨ておむつの他に、使い捨ての医療用ガウンや包帯等の各種着用物品において実施することもできる。
【００１６】
【発明の効果】
本発明にかかる開放型の使い捨ておむつでは、フック部材が複数のフック集合体から形成され、それらフック集合体が弾性的な伸長性を有するウイングにおいて、幅方向へ互いに間隔をあけて取り付けられているから、フック部材の存在によって、ウイングにおける弾性的な伸長性が損なわれるということがない。
【図面の簡単な説明】
【図１】  おむつの部分破断平面図。
【図２】  図１のＩＩ−ＩＩ線切断面を示す図。
【図３】  実施態様の一例を示す図１と同様なおむつの部分図。
【図４】  実施態様の一例を示す図１と同様なおむつの部分図。
【図５】  Ａは図４のＶ−Ｖ線切断面を示す図、Ｂは伸長状態にあるＶ−Ｖ線切断面を示す図。
【符号の説明】
１      開放型の使い捨ておむつ
２      透液性表面シート
３      不透液性裏面シート
４      体液吸収性コア
１２      リアウイング（ウイング）
１６      フック部材
１７      ループ部材
２１      フック集合体
２２      ベースシート
２３      フック
３１      キャリヤシート
【図１】
0003652691.tif 000002
【図２】
0003652691.tif 000003
【図３】
0003652691.tif 000004
【図４】
0003652691.tif 000005
【図５】
0003652691.tif 000006